(57)【要約】【課題】防火構造を安価に構成するとともに、組立作業性を向上させること。【解決手段】建具１は、合成樹脂製の枠体２と、中空部２２１の内部に設けられ、枠体２を補強する不燃性または難燃性の枠体補強材５と、中空部２２１の外周側に設けられ、枠体２を支持する不燃性または難燃性のブラケット６とを備える。ブラケット６を構成する第１支持片６２１における室外側の端部は、外壁材７における室外側の外表面よりも室内側に位置付けられる。枠体補強材５を構成する第２対向部５２２の少なくとも一部は、外壁材７及び第１支持片６２１の双方に対して内周側から重なる位置に位置付けられる。【選択図】図２
2018096063.tif 000002
【特許請求の範囲】
【請求項１】
建物の開口部の縁部に沿って延在する中空部と前記中空部における外周側の見込み面から外周側に向けて延在するヒレ部とを有する合成樹脂製の枠体を備えた建具であって、
前記中空部の内部に設けられ、前記中空部の長手方向に沿って延在し、前記枠体を補強する不燃性または難燃性の枠体補強材と、
前記中空部の外周側に設けられ、前記枠体を支持する不燃性または難燃性のブラケットとを備え、
前記枠体補強材は、
前記中空部における内周側の見込み面を構成する見込み壁部に対向する対向部と、
前記対向部から外周側に延在した延在部とを備え、
前記ブラケットは、
見込み方向に沿って延在し、前記中空部における外周側の見込み面と前記枠体に対して外周側に並設される外壁材との間に位置付けられる第１支持片と、
前記第１支持片における室内側の端部から外周側に屈曲して延在し、前記ヒレ部を挟み込んで前記建物の躯体に締結部材により締結される第２支持片とを備え、
前記第１支持片における室外側の端部は、
前記外壁材における室外側の外表面よりも室内側に位置付けられ、
前記延在部の少なくとも一部は、
前記外壁材及び前記第１支持片の双方に対して内周側から重なる位置に位置付けられる
ことを特徴とする建具。
【請求項２】
前記ブラケットは、
前記中空部の長手方向に沿って複数、並設されている
ことを特徴とする請求項１に記載の建具。
【請求項３】
前記開口部内に配置される障子をさらに備え、
前記障子の下框には、
当該障子を前記中空部の長手方向に沿って移動可能に支持する戸車と、
当該障子が前記開口部を閉塞した閉位置に位置付けられている状態で、前記複数のブラケットの上方側にそれぞれ位置付けられる不燃性または難燃性の複数の下がり防止部材とが設けられている
ことを特徴とする請求項２に記載の建具。
【発明の詳細な説明】
【技術分野】
【０００１】
本発明は、例えば、引違い窓等の建具に関する。
【背景技術】
【０００２】
従来、引違い窓等の建具において、建物の開口部の縁部に取り付けられる枠体を樹脂材料で構成した建具が知られている（例えば、特許文献１参照）。
図４は、従来の建具９の要部拡大縦断面図である。図５は、従来の建具９の要部拡大横断面図である。
特許文献１に記載の建具９において、枠体１０を構成する下枠１１は、中空部１１１及びヒレ部１１２を備え、樹脂材料で構成されている。この中空部１１１は、建物の開口部Ｏｐの縁部に沿って延在し、見込み方向に沿って並ぶ第１〜第３中空部１１３〜１１５を有する。また、ヒレ部１１２は、中空部１１１における外周側（下方側）の見込み面から外周側に向けて延在し、ネジＳｃ７により建物の躯体Ｂに固定される部分である。
また、第２中空部１１４の内部には、中空部１１１の長手方向に沿って延在し、下枠１１を補強する不燃性または難燃性の下補強材１２が設けられている。この下補強材１２は、第２中空部１１４における内周側（上方側）の見込み面を構成する見込み壁部に対向する対向部１２１と、対向部１２１から外周側に延在した延出部１２２とを備える。
ここで、延出部１２２は、枠体１０に対して外周側に並設される外壁材１３における室外側の外表面よりも室外側に位置付けられる。
【０００３】
さらに、中空部１１１の外周側には、下枠１１を支持する下ブラケット１４が設けられている。この下ブラケット１４は、見込み方向に沿って延在する第１支持片１４１と、第１支持片１４１における室内側の端部から外周側に屈曲して延在する第２支持片１４２とを備え、断面視Ｌ字形状を有する。
ここで、第２支持片１４２は、建物の躯体Ｂとの間にヒレ部１１２を挟み込んだ状態で、ネジＳｃ７により当該躯体Ｂに固定される。この状態では、第１支持片１４１は、第２中空部１１４における外周側の見込み面と、外壁材１３との間に位置付けられる。また、第１支持片１４１における室外側の端部は、外壁材１３における室外側の外表面よりも室外側に位置付けられる。さらに、延出部１２２は、第１支持片１４１に対して内周側から重なる位置に位置付けられる。
すなわち、上述した構成により、建具９の下端部側には、外壁材１３における室外側の外表面、第１支持片１４１、延出部１２２、及び対向部１２１により、遮炎ラインＬ３が形成される。この遮炎ラインＬ３により、室外からの火炎により下枠１１における室外側が溶融した場合であっても、室外から第２中空部１１４の内部への火炎の侵入を防ぐことができる。また、室外からの火炎により下枠１１における室外側が溶融した場合であっても、下補強材１２及び下ブラケット１４により、外障子１５及び内障子１６の荷重を支持し、外障子１５が外周側に移動（脱落）してしまうことを回避することができる。
【０００４】
一方、枠体１０を構成する室内側から見て左側の左縦枠１７は、下枠１１における中空部１１１（第１〜第３中空部１１３〜１１５を含む）及びヒレ部１１２とそれぞれ同様の中空部１７１（第１〜第３中空部１７３〜１７５を含む）及びヒレ部１７２を備え、樹脂材料で構成されている。
また、第２中空部１７４の内部には、中空部１７１の長手方向に沿って延在し、左縦枠１７を補強する不燃性または難燃性の左補強材１８が設けられている。この左補強材１８は、下補強材１２における対向部１２１及び延出部１２２とそれぞれ同様の対向部１８１及び延出部１８２を備える。
さらに、第２中空部１７４の内部には、加熱されることにより発泡する加熱発泡材１９が設けられている。
すなわち、上述した構成により、室外からの火炎により左縦枠１７における室外側が溶融した場合であっても、加熱発泡材１９の発泡により、室外から第２中空部１７４の内部への火炎の侵入を防ぐことができる。また、室外からの火炎により左縦枠１７における室外側が溶融した場合であっても、外障子１５における戸先側の端部に係合する不燃性または難燃性の係合部材２０を左補強材１８にて支持し、外障子１５が室外側に移動（脱落）してしまうことを回避することができる。
なお、建具９における室内側から見て右側の防火構造も上述した室内側から見て左側の防火構造と同一である。
【先行技術文献】
【特許文献】
【０００５】
【特許文献１】特開２０１５−１０５４６６号公報
【発明の概要】
【発明が解決しようとする課題】
【０００６】
しかしながら、特許文献１に記載の建具９では、防火構造を安価に構成するとともに、組立作業性を向上させることが難しい、という問題がある。
具体的に、建具９における下端部側の防火構造では、遮炎ラインＬ３を形成するために、第１支持片１４１を外壁材１３における室外側の外表面よりも室外側に位置するように長く形成し、延出部１２２を第１支持片１４１に対して内周側から重なる位置に位置付けている。このため、下ブラケット１４の材料費を考慮すると、当該防火構造を安価に構成することが難しい。また、建具９における室内側から見て左側の防火構造では、加熱発泡材１９を採用している。このため、左縦枠１７への加熱発泡材１９の貼り付け作業を考慮すると、建具９の組立作業性を向上させることが難しい。なお、建具９における室内側から見て右側の防火構造も同様である。
【０００７】
本発明は、上記実情に鑑みて、防火構造を安価に構成するとともに、組立作業性を向上させることができる建具を提供することを目的とする。
【課題を解決するための手段】
【０００８】
上記目的を達成するため、本発明に係る建具は、建物の開口部の縁部に沿って延在する中空部と前記中空部における外周側の見込み面から外周側に向けて延在するヒレ部とを有する合成樹脂製の枠体を備えた建具であって、前記中空部の内部に設けられ、前記中空部の長手方向に沿って延在し、前記枠体を補強する不燃性または難燃性の枠体補強材と、前記中空部の外周側に設けられ、前記枠体を支持する不燃性または難燃性のブラケットとを備え、前記枠体補強材は、前記中空部における内周側の見込み面を構成する見込み壁部に対向する対向部と、前記対向部から外周側に延在した延在部とを備え、前記ブラケットは、見込み方向に沿って延在し、前記中空部における外周側の見込み面と前記枠体に対して外周側に並設される外壁材との間に位置付けられる第１支持片と、前記第１支持片における室内側の端部から外周側に屈曲して延在し、前記ヒレ部を挟み込んで前記建物の躯体に締結部材により締結される第２支持片とを備え、前記第１支持片における室外側の端部は、前記外壁材における室外側の外表面よりも室内側に位置付けられ、前記延在部の少なくとも一部は、前記外壁材及び前記第１支持片の双方に対して内周側から重なる位置に位置付けられることを特徴とする。
【０００９】
本発明では、第１支持片における室外側の端部は、外壁材における室外側の外表面よりも室内側に位置付けられる。すなわち、本発明では、特許文献１に記載の下ブラケット１４に対して、第１支持片を短く形成した小型のブラケットを採用している。このため、ブラケットの材料費を考慮すると、コストダウンを図ることができる。また、小型のブラケットを採用しているため、建具の組立作業性を向上させることができる。
また、延在部の少なくとも一部は、外壁材及び第１支持片の双方に対して内周側から重なる位置に位置付けられる。すなわち、外壁材における室外側の外表面、第１支持片、延在部、及び対向部により、遮炎ラインを形成することができる。この遮炎ラインにより、室外からの火炎により枠体における室外側が溶融した場合であっても、室外から中空部の内部への火炎の侵入を防ぐことができる。そして、枠体補強材及びブラケットにより、枠体内に配置される障子を強固に保持し、当該障子の脱落を回避することができる。また、本発明に係る建具の防火構造では、中空部の内部に加熱発泡材を設ける必要がない。このため、当該加熱発泡材の貼り付け作業を考慮すると、建具の組立作業性を向上させることができる。
以上のことから、本発明に係る建具によれば、防火構造を安価に構成するとともに、組立作業性を向上させることができる、という効果を奏する。
【００１０】
また、本発明は、上述した建具において、前記ブラケットは、前記中空部の長手方向に沿って複数、並設されていることを特徴とする。
本発明では、ブラケットは、中空部における長手方向の全長に亘って延在した構成ではなく、中空部の全長よりも短いピース状で構成されている。このため、ブラケットを中空部の全長に亘って延在させた構成と比較して、ブラケットをピース状で複数、設けることにより当該ブラケットの取り回しを容易とする。
【００１１】
また、本発明は、上述した建具において、前記開口部内に配置される障子をさらに備え、前記障子の下框には、当該障子を前記中空部の長手方向に沿って移動可能に支持する戸車と、当該障子が前記開口部を閉塞した閉位置に位置付けられている状態で、前記複数のブラケットの上方側にそれぞれ位置付けられる不燃性または難燃性の複数の下がり防止部材とが設けられていることを特徴とする。
本発明では、障子の下框には、上述した戸車及び複数の下がり防止部材が設けられている。このため、火炎により戸車が溶融した場合であっても、複数の下がり防止部材を介して障子の荷重を複数のブラケットにて効率的に支えることができ、当該障子の脱落を回避することができる。
【発明の効果】
【００１２】
本発明に係る建具によれば、防火構造を安価に構成するとともに、組立作業性を向上させることができる、という効果を奏する。
【図面の簡単な説明】
【００１３】
【図１】図１は、本発明の実施の形態に係る建具を室内側から見た図である。
【図２】図２は、図１に示した建具の要部拡大縦断面図である。
【図３】図３は、図１に示した建具の要部拡大横断面図である。
【図４】図４は、従来の建具の要部拡大縦断面図である。
【図５】図５は、従来の建具の要部拡大横断面図である。
【発明を実施するための形態】
【００１４】
以下に、図面を参照して、本発明を実施するための形態（以下、実施の形態）について説明する。なお、以下に説明する実施の形態によって本発明が限定されるものではない。さらに、図面の記載において、同一の部分には同一の符号を付している。
【００１５】
〔建具の概略構成〕
図１は、本発明の実施の形態に係る建具１を室内側から見た図である。図２は、建具１の要部拡大縦断面図である。図３は、建具１の要部拡大横断面図である。
なお、以下で記載する「見込み方向」は、図２の矢印Ａｒで示すように、建具１の奥行きに沿った方向である。見込み方向に沿った平面については、見込み面と称し、見込み方向に直交する平面については、見付け面と称する場合がある。
建具１は、引違い窓で構成され、枠体２と、外障子３と、内障子４とを備える。
枠体２は、上枠２１、下枠２２、図１中、左側に位置する左縦枠２３、及び図１中、右側に位置する右縦枠２４を四周枠組みすることによって構成され、建物の開口部Ｏｐの縁部に沿うように取り付けられる。
本実施の形態では、これら各枠部材２１〜２４は、合成樹脂製の押し出し形材であり、全長に亘って略一様な断面形状を有する。
なお、これら各枠部材２１〜２４の詳細な構成については後述する。
【００１６】
外障子３は、本発明に係る障子に相当し、内障子４に対して室外側に位置し、枠体２に対して図１中、左右方向に開閉移動可能に取り付けられている。この外障子３は、面材３１と、框体３２とを備える。
面材３１は、スペーサ３１１を介して一対のガラス板３１２，３１３を互いに間隔を隔てて対面配置した２層の複層ガラスで構成されている。
框体３２は、上框３２１、下框３２２、戸先框３２３、及び召合せ框（図示略）を框組みすることにより構成され、内部で面材３１を保持する。
これら上框３２１、下框３２２、戸先框３２３、及び召合せ框（図示略）は、合成樹脂製またはアルミニウム等の金属製の押し出し形材であり、全長に亘って略一様な断面形状を有する。
また、下框３２２の下端部には、断面略Ｕ字形状を有し、後述する外レール部材２５の一部が挿通される溝部３３が形成されている（図２参照）。そして、溝部３３内において、戸先側及び召合せ側の両側には、外レール部材２５上を転動して外障子３を開閉移動可能に支持する戸車３４がそれぞれ設けられている（図２参照）。また、溝３３内において、各戸車３４に近接した位置には、アルミニウム等の金属材料で構成された下がり防止部材３５がそれぞれ設けられている（図２参照）。
【００１７】
内障子４は、本発明に係る障子に相当し、枠体２に対して図１中、左右方向に開閉移動可能に取り付けられている。この内障子４は、外障子３における面材３１（スペーサ３１１及び一対のガラス板３１２，３１３を含む）及び框体３２（上框３２１、下框３２２（溝部３３、戸車３４、及び下がり防止部材３５を含む）、戸先框３２３、及び召合せ框（図示略）を含む）とそれぞれ同様の面材４１（スペーサ４１１及び一対のガラス板４１２，４１３を含む）及び框体４２（上框４２１、下框４２２（溝部４３、戸車４４、及び下がり防止部材４５を含む）、戸先框４２３、及び召合せ框４２４を含む）を備える。
【００１８】
上述した外障子３及び内障子４において、戸先框３２３が左縦枠２３に当接するとともに、戸先框４２３が右縦枠２４に当接した場合には、外障子３の召合せ框（図示略）と内障子４の召合せ框４２４とが互いに係合する。そして、開口部Ｏｐは、外障子３及び内障子４にて閉塞される。この状態では、外障子３の召合せ框（図示略）と内障子４の召合せ框４２４との間は、クレセントＣＲ（図１）によってロック可能である。当該クレセントＣＲによりロックすることにより、外障子３及び内障子４は、開口部Ｏｐを閉塞した状態に保持される。
【００１９】
本実施の形態では、枠体２の内部には、当該枠体２を補強する枠体補強材５（図２，図３）が設けられている。この枠体補強材５は、上枠２１の内部に設けられる上補強材（図示略）と、下枠２２の内部に設けられる下補強材５２と、左縦枠２３の内部に設けられる左補強材５３と、右縦枠２４の内部に設けられる右補強材（図示略）とを備える。
これら上補強材（図示略）、下補強材５２、左補強材５３、及び右補強材（図示略）は、各枠部材２１〜２４の全長と略同一の全長を有するアルミニウム等の金属の押し出し形材であり、全長に亘って略一様な断面形状を有する。
【００２０】
また、枠体２の外周側には、当該枠体２を支持するブラケット６（図２，図３）が設けられている。このブラケット６は、上枠２１の外周側（上方側）に設けられる上ブラケット（図示略）と、下枠２２の外周側（下方側）に設けられる下ブラケット６２と、左縦枠２３の外周側（図１中、左側）に設けられる左ブラケット６３と、右縦枠２４の外周側（図１中、右側）に設けられる右ブラケット（図示略）とを備える。
これら上ブラケット（図示略）、下ブラケット６２、左ブラケット６３、及び右ブラケット（図示略）は、アルミニウム等の金属の押し出し形材であり、全長に亘って略一様な断面形状を有する。なお、上ブラケット（図示略）、下ブラケット６２、左ブラケット６３、及び右ブラケット（図示略）の全長は、各枠部材２１〜２４の全長とそれぞれ略同一に設定してもよく、あるいは、各枠部材２１〜２４の全長よりもそれぞれ短く設定（ピース状で構成）しても構わない。
【００２１】
ここで、上枠２１及び下枠２２は、略上下対称となる形状を有する。また、左縦枠２３及び右縦枠２４は、略左右対称となる形状を有する。上補強材（図示略）及び下補強材５２は、略上下対称となる形状を有する。また、左補強材５３及び右補強材（図示略）は、略左右対称となる形状を有する。上ブラケット（図示略）及び下ブラケット６２は、略上下対称となる形状を有する。また、左ブラケット６３及び右ブラケット（図示略）は、略左右対称となる形状を有する。
このため、以下、下枠２２、下補強材５２、及び下ブラケット６２の構成、左縦枠２３、左補強材５３、及び左ブラケット６３の構成について、順に説明する。
【００２２】
〔下枠、下補強材、及び下ブラケットの構成〕
先ず、下枠２２、下補強材５２、及び下ブラケット６２の構成について、図２を参照しつつ説明する。
なお、以下に記載する「内周側」は、枠体２の内周側であって、下枠２２、下補強材５２、及び下ブラケット６２では、「上方側」を意味する。また、以下に記載する「外周側」は、枠体２の外周側であって、下枠２２、下補強材５２、及び下ブラケット６２では、「下方側」を意味する。
下枠２２は、中空部２２１と、外壁部２２２と、内壁部２２３と、中央壁部２２４と、第１，第２ヒレ部２２５，２２６とを備える。
【００２３】
中空部２２１は、開口部Ｏｐの縁部に沿って延在した角筒形状を有し、見込み方向に沿って並ぶ第１〜第３中空部２２７〜２２９を備える。そして、中空部２２１の一部は、枠体２に対して外周側に並設された外壁材７における室外側の外表面よりも室外側に突出する。
より具体的に、第１〜第３中空部２２７〜２２９のうち、見込み方向の中央に位置する第２中空部２２８は、室外側及び室内側にそれぞれ位置する第１，第３中空部２２７，２２９よりも見込み方向の長さ寸法が大きく形成されている。そして、第２中空部２２８は、室内側の一部及び見込み方向の中央部分が建物の躯体Ｂ及び外壁材７に対してそれぞれ内周側から重なる位置に位置付けられているとともに、室外側の一部が外壁材７における室外側の外表面よりも室外側に突出する。
以上説明した第２中空部２２８の内部に、下補強材５２が設けられている。
【００２４】
外壁部２２２及び内壁部２２３は、中空部２２１における室外側の端部及び室内側の端部からそれぞれ内周側に延在した部分である。
中央壁部２２４は、中空部２２１（第２中空部２２８）における内周側の見込み面から内周側に延在した部分であり、外壁部２２２と内壁部２２３との間を見込み方向において２つの領域に仕切る。
ここで、外壁部２２２と、中央壁部２２４と、中空部２２１における内周側の見込み面とで構成されるＵ字状の溝部分には、外障子３の下端部が収容される。また、当該溝部分には、外障子３に設けられた戸車３４が載置され、当該外障子３の開閉移動を案内する外レール部材２５が設けられている。また、内壁部２２３と、中央壁部２２４と、中空部２２１における内周側の見込み面とで構成されるＵ字状の溝部分には、内障子４の下端部が収容される。また、当該溝部分には、内障子４に設けられた戸車４４が載置され、当該内障子４の開閉移動を案内する内レール部材２６が設けられている。
これら外レール部材２５及び内レール部材２６は、下枠２２の全長と略同一の全長を有するアルミニウム等の金属の押し出し形材であり、全長に亘って略一様な断面形状を有する。
【００２５】
また、中央壁部２２４において、外障子３及び内障子４にて開口部Ｏｐを閉塞したときに、外障子３の召合せ框（図示略）と内障子４の召合せ框４２４とにそれぞれ対向する部位は、切除されている。すなわち、中央壁部２２４は、当該部位を挟んで図１中、左右の両側にそれぞれ設けられている。そして、当該部位には、分断された２つの中央壁部２２４を繋げるように、不燃性である中継部材２７が取り付けられている。
この中継部材２７は、本体部２７１と、一対の枠固定部２７２，２７３とを備える。
本体部２７１は、直方体形状を有し、分断された２つの中央壁部２２４の間に位置付けられる部分である。
一対の枠固定部２７２，２７３は、本体部２７１における外周側の端部から室外側及び室内側にそれぞれ張り出した部分である。そして、一対の枠固定部２７２，２７３は、中空部２２１（第２中空部２２８）における内周側の見込み面を構成する見込み壁部を介して、下補強材５２にそれぞれネジＳｃ１，Ｓｃ２にて固定される。
【００２６】
第１ヒレ部２２５は、中空部２２１（第２中空部２２８）における外周側の見込み面から外周側に延在し、締結部材としてのネジＳｃ３により建物の躯体Ｂに固定される部分である。すなわち、第１ヒレ部２２５は、本発明に係るヒレ部に相当する。
第２ヒレ部２２６は、内壁部２２３における室内側の見付け面から室内側に延在し、枠体２に対して室内側に並設される内装材（額縁）８に対してネジＳｃ４により固定される部分である。
【００２７】
下補強材５２は、第２中空部２２８の内部、すなわち、下枠２２に対して外障子３及び内障子４の荷重が最も加わる部分に設けられている。この下補強材５２は、第１〜第３対向部５２１〜５２３と、第１，第２延出部５２４，５２５とを備える。
第１対向部５２１は、見込み方向に沿って延在し、第２中空部２２８における内周側の見込み面を構成する見込み壁部に対向する部分である。すなわち、第１対向部５２１は、本発明に係る対向部に相当する。
この第１対向部５２１には、見込み方向に間隔を空けて、ネジＳｃ１，Ｓｃ２がそれぞれ螺合される第１，第２溝部５２６，５２７がそれぞれ形成されている。
第１延出部５２４は、第１，第２溝部５２６，５２７のうち、室外側に位置する第１溝部５２６において、室内側の側壁を外周側に延長した部分である。そして、第１延出部５２４は、外壁材７における室外側の外表面よりも室内側に位置付けられる。
第２対向部５２２は、第１延出部５２４における外周側の端部から室内側及び室外側にそれぞれ屈曲して延在し、第２中空部２２８における外周側の見込み面を構成する見込み壁部に対向する部分である。
そして、第１延出部５２４及び第２対向部５２２は、本発明に係る延在部に相当する。
第２延出部５２５は、第２溝部５２７における室内側の側壁を外周側に延長した部分である。
第３対向部５２３は、第２延出部５２５における室内側の見付け面から室内側に延在し、第２中空部２２８における外周側の見込み面を構成する見込み壁部に対向する部分である。
【００２８】
本実施の形態では、下ブラケット６２は、下枠２２の全長よりも短いピース状で複数、設けられており、下枠２２の長手方向に沿って並設されている。より具体的に、複数の下ブラケット６２は、外障子３及び内障子４が開口部Ｏｐを閉塞した閉位置に位置付けられた状態で、複数の下がり防止部材３５，４５の下方側にそれぞれ位置付けられる。
なお、複数の下ブラケット６２は、同一の形状を有している。このため、以下では、１つの下ブラケット６２の形状のみを説明する。
下ブラケット６２は、見込み方向に沿って延在する第１支持片６２１と、第１支持片６２１における室内側の端部から外周側に屈曲して延在する第２支持片６２２とを備え、断面視Ｌ字形状を有する。
ここで、第２支持片６２２は、建物の躯体Ｂとの間に第１ヒレ部２２５を挟み込んだ状態で、ネジＳｃ３により当該躯体Ｂに固定される。この状態では、第１支持片６２１は、第２中空部２２８における外周側の見込み面と、外壁材７における内周側の端部との間に位置付けられる。また、第１支持片６２１における室外側の端部は、外壁材７における室外側の外表面よりも室内側に位置付けられる。さらに、第２対向部５２２は、略全体が外壁材７に対して内周側から重なる位置に位置付けられるとともに、室内側の一部が第１支持片６２１に対して内周側から重なる位置に位置付けられる。
すなわち、下ブラケット６２は、下枠２２における見込み方向の略中央部分であって、当該下枠２２に対して外障子３及び内障子４の荷重が最も加わる位置に設けられ、下補強材５２とともに下枠２２を補強するとともに、当該下枠２２を支持する。
そして、上述した構成により、建具１の下端部側には、外壁材７における室外側の外表面、第１支持片６２１、第２対向部５２２、第１延出部５２４、及び第１対向部５２１により、遮炎ラインＬ１が形成される。この遮炎ラインＬ１により、室外からの火炎により下枠２２における室外側が溶融した場合であっても、室外から第２中空部２２８の内部への火炎の侵入を防ぐことができる。また、室外からの火炎により下枠２２における室外側が溶融した場合であっても、下補強材５２及び下ブラケット６２により、外障子３及び内障子４の荷重を支持し、外障子３が外周側に移動（脱落）してしまうことを回避することができる。
【００２９】
〔左縦枠、左補強材、及び左ブラケットの構成〕
次に、左縦枠２３、左補強材５３、及び左ブラケット６３の構成について、図３を参照しつつ説明する。
なお、以下に記載する「内周側」は、枠体２の内周側であって、左縦枠２３、左補強材５３、及び左ブラケット６３では、「室内側から見て右側」を意味する。また、以下に記載する「外周側」は、枠体２の外周側であって、左縦枠２３、左補強材５３、及び左ブラケット６３では、「室内側から見て左側」を意味する。
左縦枠２３は、下枠２２における中空部２２１（第１〜第３中空部２２７〜２２９を含む）、外壁部２２２、内壁部２２３、中央壁部２２４、及び第１，第２ヒレ部２２５，２２６とそれぞれ同様の中空部２３１（第１〜第３中空部２３７〜２３９を含む）、外壁部２３２、内壁部２３３、中央壁部２３４、及び第１，第２ヒレ部２３５，２３６を備える。
なお、左縦枠２３の中央壁部２３４は、下枠２２の中央壁部２２４とは異なり、２つに分断された構造ではない。また、第１ヒレ部２３５は、本発明に係るヒレ部に相当する。さらに、左縦枠２３、建物の躯体Ｂ、外壁材７、及び内装材８の位置関係は、下枠２２、建物の躯体Ｂ、外壁材７、及び内装材８の位置関係と略同一である。
【００３０】
ここで、外壁部２３２と、中央壁部２３４と、中空部２３１における内周側の見込み面とで構成されるＵ字状の溝部分には、外障子３を閉じた状態とした際に、当該外障子３の室内側から見て左端部が収容される。また、当該溝部分には、外障子３を閉じた状態とした際に、当該外障子３の室内側から見て左端部と係合する不燃性である金属製の係合部材２８が設けられている。
【００３１】
左補強材５３は、第２中空部２３８の内部に設けられている。この左補強材５３は、下補強材５２における第１対向部５２１（第１，第２溝部５２６，５２７を含む）、第２，第３対向部５２２，５２３、及び第１，第２延出部５２４，５２５とそれぞれ同様の第１対向部５３１（第１，第２溝部５３６，５３７を含む）、第２，第３対向部５３２，５３３、及び第１，第２延出部５３４，５３５を備える。
なお、第１対向部５３１は、本発明に係る対向部に相当する。また、第１延出部５３４及び第２対向部５３２は、本発明に係る延在部に相当する。
【００３２】
ここで、第１溝部５３６には、中空部２３１（第２中空部２３８）における内周側の見込み面を構成する見込み壁部を介して、ネジＳｃ５が螺合される。そして、このネジＳｃ５により、係合部材２８は、左補強材５３に固定される。また、第３対向部５３３には、中空部２３１（第２中空部２３８）における外周側の見込み面を構成する見込み壁部を介して、ネジＳｃ６が螺合される。そして、このネジＳｃ６により、左補強材５３は、左縦枠２３に対して外周側に設けられた連結金具２９に固定される。
連結金具２９は、見込み方向に沿って延在し、ネジＳｃ６にて左補強材５３に固定される第１固定片２９１と、第１固定片２９１における室外側の端部から外周側に屈曲して延在する第２固定片２９２とを備え、断面視Ｌ字形状を有する。そして、第２固定片２９２は、第１ヒレ部２３５と建物の躯体Ｂとの間に挟み込まれた状態で、第１ヒレ部２３５とともにネジＳｃ３にて当該躯体Ｂに固定される。すなわち、左補強材５３は、連結金具２９を介して、建物の躯体Ｂに固定されている。
【００３３】
左ブラケット６３は、下ブラケット６２における第１，第２支持片６２１，６２２と同様の第１，第２支持片６３１，６３２を備える。
ここで、第２支持片６３２は、建物の躯体Ｂとの間に第１ヒレ部２３５及び第２固定片２９２を挟み込んだ状態で、ネジＳｃ３により当該躯体Ｂに固定される。この状態では、第１支持片６３１は、第２中空部２３８における外周側の見込み面と、外壁材７における内周側の端部との間に位置付けられる。また、第１支持片６３１における室外側の端部は、外壁材７における室外側の外表面よりも室内側に位置付けられる。さらに、第２対向部５３２は、室内側の一部が外壁材７及び第１支持片６２１に対して内周側から重なる位置に位置付けられる。
そして、上述した構成により、建具１の室内側から見て左端部側には、外壁材７における室外側の外表面、第１支持片６３１、第２対向部５３２、第１延出部５３４、及び第１対向部５３１により、遮炎ラインＬ２が形成される。この遮炎ラインＬ２により、室外からの火炎により左縦枠２３における室外側が溶融した場合であっても、室外から第２中空部２３８の内部への火炎の侵入を防ぐことができる。また、室外からの火炎により左縦枠２３における室外側が溶融した場合であっても、左補強材５３にて係合部材２８を支持し、外障子３が室外側に移動（脱落）してしまうことを回避することができる。
なお、建具１における室内側から見て右側の防火構造も上述した室内側から見て左側の防火構造と同一である。
【００３４】
以上説明した本実施の形態に係る建具１によれば、以下の効果を奏する。
本実施の形態に係る建具１では、第１支持片６２１，６３１における室外側の端部は、外壁材７における室外側の外表面よりも室内側に位置付けられる。すなわち、本実施の形態に係る建具１では、特許文献１に記載の下ブラケット１４に対して、第１支持片６２１，６３１を短く形成した小型のブラケット６を採用している。このため、ブラケット６の材料費を考慮すると、コストダウンを図ることができる。また、小型のブラケット６を採用しているため、建具１の組立作業性を向上させることができる。
また、第２対向部５２２，５３２の少なくとも一部は、外壁材７及び第１支持片６２１，６３１の双方に対して内周側から重なる位置に位置付けられる。すなわち、外壁材７における室外側の外表面、第１支持片６２１，６３１、第２対向部５２２，５３２、第１延出部５２４，５３４、及び第１対向部５２１，５３１により、遮炎ラインＬ１，Ｌ２を形成することができる。この遮炎ラインＬ１，Ｌ２により、室外からの火炎により枠体２における室外側が溶融した場合であっても、室外から第２中空部２２８，２３８の内部への火炎の侵入を防ぐことができる。そして、枠体補強材５及びブラケット６により、外障子３及び内障子４を強固に保持し、外障子３及び内障子４の脱落を回避することができる。また、本実施の形態に係る建具１の防火構造では、第２中空部２２８，２３８の内部に加熱発泡材を設けていないため、当該加熱発泡材の貼り付け作業を考慮すると、建具１の組立作業性を向上させることができる。
以上のことから、本実施の形態に係る建具１によれば、防火構造を安価に構成するとともに、組立作業性を向上させることができる、という効果を奏する。
【００３５】
また、本実施の形態に係る建具１では、下ブラケット６２は、下枠２２の全長に亘って延在した構成ではなく、ピース状で構成されている。このため、下ブラケット６２を下枠２２の全長に亘って延在させた構成と比較して、下ブラケット６２をピース状で複数、設けることにより当該下ブラケット６２の取り回しを容易とする。
【００３６】
また、本実施の形態に係る建具１では、外障子３及び内障子４が開口部Ｏｐを閉塞した閉位置に位置付けられた状態で、複数の下ブラケット６２は、外障子３及び内障子４の下框３２２，４２２に設けられた複数の下がり防止部材３５，４５の下方側にそれぞれ位置付けられる。このため、火炎により戸車３４，４４が溶融した場合であっても、複数の下がり防止部材３５，４５を介して外障子３及び内障子４の荷重を複数の下ブラケット６２にて効率的に支えることができ、外障子３及び内障子４の脱落を回避することができる。
【００３７】
（その他の実施の形態）
ここまで、本発明を実施するための形態を説明してきたが、本発明は上述した実施の形態によってのみ限定されるべきものではない。
上述した実施の形態では、本発明に係る建具を引違い窓に採用していたが、これに限らない。合成樹脂製の枠体を備えた建具であれば、例えば、２枚の障子のうち一方の障子のみがスライドする片引き窓や１枚の障子をはめ殺したはめ殺し窓、さらには障子を上下方向にスライドさせる上げ下げ窓や障子を見込み方向に開閉するすべり出し窓等、各種の建具に本発明を採用しても構わない。
上述した実施の形態において、枠体補強材５、ブラケット６、及び下がり防止部材３５，４５の材料は、不燃性または難燃性の材料であれば、いずれの材料を採用しても構わない。
【符号の説明】
【００３８】
１  建具、２  枠体、３  外障子（障子）、４  内障子（障子）、５  枠体補強材、６  ブラケット、７  外壁材、３４，４４  戸車、３５，４５  下がり防止部材、２２１，２３１  中空部、２２５，２３５  第１ヒレ部（ヒレ部）、５２１，５３１  第１対向部（対向部）、５２２，５３２  第２対向部（延在部）、５２４，５３４  第１延出部（延在部）、６２１，６３１  第１支持片、６２２，６３２  第２支持片、Ｂ  躯体、Ｓｃ３  ネジ（締結部材）
【図１】
2018096063.tif 000003
【図２】
2018096063.tif 000004
【図３】
2018096063.tif 000005
【図４】
2018096063.tif 000006
【図５】
2018096063.tif 000007